(57)【要約】      （修正有）【課題】消費電力を抑えた省電力モードを有する画像形成装置を提供する。【解決手段】原稿押圧板３の回動に連動して発電する発電手段Ｍを有し、省電力モードにあるとき、原稿押圧板３が閉止された位置３＿１から開かれると、発電手段Ｍの電力によって、動作モードへの復帰回路が起動して動作モードへ復帰する。更に、動作用のデータのメモリをバックアップする充電池が、原稿押圧板３の回動に連動して発電手段Ｍによって充電され、原稿押圧板３が開かれた状態３＿３から閉止された状態３＿１に戻るとき、発電手段Ｍの出力負荷を制御することにより、原稿押圧板３の自重による付勢力を抑制して、閉止状態に制動をかけて戻す。【選択図】図２
2005134695.tif 000002
【特許請求の範囲】
【請求項１】
原稿載置台に対して回動可能に設けられ、閉止された状態で、押圧面で原稿載置台上に載置された原稿を押圧する原稿押圧板を備え、画像形成が可能な動作モードと、消費電力を節約する省電力モードとを備えた画像形成装置において、
前記原稿押圧板の回動に連動して発電する発電手段を有し、画像形成装置が前記省電力モードにあるとき、前記原稿押圧板が閉止された位置から開かれると、前記発電手段が発電する電力によって、前記省電力モードから動作モードへの復帰回路が起動して動作モードへ復帰することを特徴とする画像形成装置。
【請求項２】
前記画像形成装置は、動作用のデータを記憶するメモリをバックアップする充電池を備え、該充電池は、前記原稿押圧板の回動に連動して発電する発電手段によって充電されることを特徴とする請求項１に記載の画像形成装置。
【請求項３】
前記原稿押圧板が開かれた状態から閉止された状態に戻るとき、前記発電手段の出力負荷を制御することにより、前記原稿押圧板の自重による付勢力を抑制して、閉止状態に制動をかけて戻すことを特徴とする請求項１または請求項２に記載の画像形成装置
【請求項４】
前記発電手段は、前記原稿押圧板の回動に連動して回転される発電モータであることを特徴とする請求項１乃至請求項３のいずれかに記載の画像形成装置。
【発明の詳細な説明】
【技術分野】
【０００１】
本発明は、画像形成装置に係わり、特に、消費電力を抑えた省電力モードを有する画像形成装置に関する。
【背景技術】
【０００２】
画像形成装置では、通常、動作モードに加えて省電力モードを備えている。このような画像形成装置では、装置の未使用状態が所定の時間継続すると、動作モードから省電力モードに移行する。その後、画像形成装置を使用する場合は、ユーザが操作部上でプリントキーなどの所定のキーを押すことで、省電力モードから動作モードへの復帰が行われ、画像形成が可能になる。
【０００３】
また、画像形成装置では、動作パラメータ、各種設定値、履歴情報などをＳＲＡＭなどの揮発性メモリに保存しておき、動作時に必要な情報を揮発性メモリから作業用メモリに読み込んで、所定の動作を行うようになっている。画像形成装置の電源が切断されても、このような重要な情報が揮発性メモリから消失しないようにするため、通常、充電可能なバックアップ用電池で、記録内容を保持するようにしている。そして、画像形成装置の動作モード時に、主電源から電源を供給して充電を行う。
【０００４】
更に、画像形成装置では、原稿をスキャナに読み取らせるため、原稿押圧板を開けて、コンタクトガラス上に原稿を載置し、原稿押圧板を閉じて、原稿が動かないようにしている。このとき、原稿押圧板は、開けるときには軽く、完全に開けた状態で保持され、閉めるときには緩やかに閉じるように、所謂ダンパーでその開閉負荷が制御されるようになっている。
【０００５】
しかし、上記した省電力モードから動作モードへ復帰する場合、ユーザは所定のキーを押すなどの、本来不要な操作を行うことが必要となる。更には、そのキーがプリントキーなどのような特定の作業に係わるものであれば、不要な混乱を招く原因ともなる。特許文献１は、こうした問題を解決するために、画像形成ごとに、動作モードから省電力モードへ移行するまでの待機時間と、省電力モードから動作モードへ復帰するまでの待機時間をそれぞれ計測し、実際の使用に即した省電力モード時間と省電力モード解除時間を逐次算出して設定できることを教示している。
【０００６】
また、特許文献２は、上記の各種設定情報などが保存された揮発性メモリのバックアップ用充電池を充電するため、主電源とともに、太陽電池を使用することを提案している。
【０００７】
また、上記した原稿押圧板の開閉動作に関するものとして、特許文献３は、原稿押圧板を閉じるときの衝撃をやわらげ、原稿押圧装置の破損を防止する手段を開示している。
【特許文献１】特開２００１−３４７７２８号公報
【特許文献２】特開平９−３６９９６号公報
【特許文献３】特開平７−１２０８４５号公報
【発明の開示】
【発明が解決しようとする課題】
【０００８】
しかし、特許文献１が開示する省電力モードからの復帰は、画像形成装置の使用状況の履歴に基づいて行われるため、ユーザ個々の使用状況を反映することにはならず、個々の画像形成作業が行われるごとに適切なタイミングで復帰が行われる保証はない。
【０００９】
特許文献２によると、確かに、電力の節約に貢献することが可能であるが、一般に屋内で使用される画像形成装置では、太陽電池の発電効率は低く、効率を上げようとすると受光面積の大きい太陽電池が必要になり、取り付けスペースやコストの問題が発生する。
【００１０】
特許文献３による開示によると、原稿押圧板の開閉を制御する手段も、スプリングを使用した一種のダンパーであり、従来のダンパーと同様に、ユーザの開閉動作に沿うように調整することが困難であると同時に、省電力に貢献する構成とはなっていない。
【００１１】
本発明は、このような状況に鑑みなされたものであり、画像形成装置が省電力モードにあるとき、原稿押圧板が閉止された位置から開かれると、省電力モードから動作モードへ復帰させると同時に、原稿押圧板の回動によって充電池を充電させて省電力化を図り、原稿押圧板が閉じられるときには、原稿押圧板が緩やかに閉じる画像形成装置を提供することを目的とする。
【課題を解決するための手段】
【００１２】
上記目的を達成するために、本発明では、原稿載置台に対して回動可能に設けられ、閉止された状態で、押圧面で原稿載置台上に載置された原稿を押圧する原稿押圧板を備え、画像形成が可能な動作モードと、消費電力を節約する省電力モードとを備えた画像形成装置において、原稿押圧板の回動に連動して発電する発電手段を有し、画像形成装置が省電力モードにあるとき、原稿押圧板が閉止された位置から開かれると、発電手段が発電する電力によって、省電力モードから動作モードへの復帰回路が起動して、動作モードへ復帰する。
【００１３】
また、本発明による画像形成装置は、動作用のデータを記憶するメモリをバックアップする充電池を備え、該充電池は、原稿押圧板の回動に連動して発電する発電手段によって充電される。
【００１４】
更に、本発明による画像形成装置は、原稿押圧板が開かれた状態から閉止された状態に戻るとき、発電手段の出力負荷を制御することにより原稿押圧板の自重による付勢力を抑制して、閉止状態に制動をかけて戻すように構成される。
【００１５】
更に、本発明による画像形成装置において、発電手段は、原稿押圧板の回動に連動して回転される発電モータである。
【発明の効果】
【００１６】
本発明による画像形成装置によると、画像形成装置が省電力モードにあるとき、ユーザが原稿を読み取らすために原稿押圧板を開いて原稿を載置するだけで、省電力モードから動作モードへ復帰させることが可能になる。従って、プリントキーやその他のキーを押して動作モードへ復帰させる必要がなくなる。作業性と操作性の向上、混乱の防止に対して非常に有効である。
【００１７】
また、本発明による画像形成装置によると、原稿押圧板が開閉されることで、画像形成装置の動作パラメータや設定値を格納するメモリをバックアップする充電池に充電が行われる。省電力を実施するために、ユーザの複写作業にともなう動作をそのまま利用して発電を行う。従って、太陽電池などの余分な部品が不要になる。
【００１８】
更に、本発明による画像形成装置によると、原稿押圧板を閉止するときに、自重による付勢力を制動しながら緩やかに閉止させることができる。そのため、従来の技術で必要とした機械式のダンパーが不要となる。また、機械式ダンパーと異なり、制動力を容易に変更可能であるため、ユーザの使用状況、原稿押圧板の重量やサイズに応じて適切な制動をかけることが可能である。
【００１９】
更に、本発明による画像形成装置によると、原稿押圧板の開閉に連動して発電モータを回転させるため、その発電電力を更に利用することが可能である。
【発明を実施するための最良の形態】
【００２０】
以下、本発明の詳細を添付図面に基づいて説明する。図１は、本発明の実施形態を説明するための画像形成装置の主要部を示す正面斜視図である。
【００２１】
画像形成装置１は、その下方に原稿読み取りのための光学系が配置され、原稿の読み取り面がその光学系に対面して載置されるコンタクトガラス２ａを備えた原稿載置台２と、原稿を載置するために原稿載置台２に対して開閉自在に構成された原稿押圧板３と、その原稿押圧板３を開閉するための回動軸となる支持軸４ａ及び４ｂと、原稿押圧板３の開閉に連動して上下動するラック軸５と、原稿押圧板３の開閉を検知する開閉センサ６と、表示部７ａと操作に係わる入力行われる操作入力部７ｂとからなる操作部７と、手前に引き出し可能に構成され、画像が形成される用紙を格納して１枚ずつ給紙を行う給紙ユニット８とから概略構成される。
【００２２】
図２は、画像形成装置１の本発明に係わる機構部分を模式的に拡大して示した右断面図である。同図において、原稿押圧板３の開閉要所位置にそれぞれ符号３＿１〜３＿３を附す。位置３＿１は、原稿押圧板３が完全に閉止された状態で、この位置で図示しない原稿をコンタクトガラス２ａの上面に押圧して固定する。この位置では、開閉センサ６はオンの状態である。ユーザが原稿押圧板３の図示しない取手部分（図の左側）を保持して、原稿押圧板３を上方に開いていくと、位置３＿２で、開閉センサ６がオンからオフに切り替わる。
【００２３】
支持軸４ａと４ｂとを回動軸として、原稿押圧板３を、さらに上方に開いていくと、位置３＿３で、原稿押圧板３は図示しない停止機構により係止された状態になり、それ以上は開かない。この位置では開閉センサ６はオフ状態である。また、この位置で原稿押圧板３は係止されているため、これまでの説明とは逆方向に閉めるには、ユーザが、原稿押圧板３を閉める方向に若干力を加える必要がある。
【００２４】
参照符号１０は、ラックユニットであり、円筒状のシリンダ１１内に、ラック軸５の自重に釣り合う程度の復元力を有するコイル状のスプリング１２が収納され、シリンダ１１の内壁を上下に摺動するラック軸５の底部を支持する構造を有する。原稿押圧板３が位置３＿１〜３＿３のいずれの位置にあっても、ラック軸５の上端部は原稿押圧板３の下部に当接している。しかし、スプリング１２の復元力は、原稿押圧板３の自重に釣り合う程度であり、その復元力によって原稿押圧板３を支持するものではないが、ラック軸５は、常に原稿押圧板３に当接しながら、その開閉動作に応動して上下動を行う。
【００２５】
また、ラック軸５のギア部には減速ギア１５が係合している。モータＭと同軸に固着されたモータギア１６は、減速ギア１５に係合している。そのため、原稿押圧板３が開かれると、ラック軸５が上方向に動き（図の位置）、減速ギア１５は図中、反時計方向に回転し、モータギア１６とモータＭは図中、時計方向に回転する。原稿押圧板３が閉められるとラック軸５、減速ギア１５、モータギア１６、モータＭはそれぞれ上記の逆方向に動く。こうした動きによって、モータＭは発電機として動作することになり、図示しない端子から、交流電力を出力する。
【００２６】
次に、画像形成装置１の制御に係わる主要部の概略を、図３に基づいて説明する。図３は、画像形成装置１の制御に係わる主要部のブロック図である。尚、画像形成装置１は、説明を分かり易くするために、その機能を複写機能に絞って説明する。
【００２７】
画像形成装置１は、装置全体の制御を行う主制御部２０と、前記した表示部７ａと操作入力部７ｂとからなる操作部７と、原稿を読み取って画像データに変換するスキャナ２１と、スキャナ２１により読み取られた画像データなどを格納する画像メモリ２２と、スキャナ２１から或いは画像メモリ２２から出力される画像データに基づいて、画像を形成する画像形成部２３と、ＣＰＵ１を有して本発明の省電力動作の制御を行う省電力制御部２４とから概略構成されており、それぞれが内部バスに接続されている。尚、省電力制御部２４の詳細は後述する。
【００２８】
次に、本発明の解決する課題である、省電力モードから動作モードへの復帰動作と、原稿押圧板３の開閉とともに発電して省電力化をはかる方法について、まず、全体の概略を図４に基づいて説明する。図４は、画像形成装置１の電源が投入されてから、動作モードへの移行、省電力モードへの移行、動作モードへの復帰の流れを説明するためのフローチャートである。
【００２９】
まず、ステップＳ１で、画像形成装置１の電源がオンされる。次に、Ｓ２で動作パラメータや設定値を保存先から読み出して、初期化を行い、定着のためのヒータをオンにする。Ｓ３で、ヒータが定着温度に到達し、画像形成装置１が動作モードに移行して、コピー作業ができるようになる。同時に、Ｓ４で、図３で示した省電力制御部２４にも通電されて、省電力制御を行う準備が整う。Ｓ４の時点では、画像形成装置１は動作モードで動作している。
【００３０】
次に、Ｓ５で、開閉センサ６（図２）が、オンからオフに遷移したか否か、省電力制御部２４が判断を行う。つまり、前述したように、原稿押圧板３を上方に開いていくと、位置３＿２で、開閉センサ６がオンからオフに切り替わるタイミングである。開閉センサ６がオンからオフに切り替わるということは、原稿押圧板３がユーザによって開けられはじめている状態なので、この遷移状態が検出されると後述するＳ６の「発電／開閉制動」のフローに移行する。その後、Ｓ６の「発電／開閉制動」が終了すると、コピーキーが押されたか否かのチェックがＳ７で行われ、コピーを開始する場合は、Ｓ８のコピー動作のフローへ移行し、そうでない場合とコピー動作が終了した場合は、Ｓ９へ移行する。尚、Ｓ８のコピー動作の説明は、本発明とは直接関係しないため省略する。Ｓ５で、開閉センサ６が、オンからオフに遷移していない場合、つまり、原稿押圧板３が、位置３＿１にあって、閉じられている場合も、Ｓ９に移行する。
【００３１】
Ｓ９では、画像形成装置１が使用されないまま所定の時間経過したか否かのチェック、すなわち、省電力モードに移行する条件が満たされたか否かのチェックが行われる。条件が満たされた場合は、後述する、Ｓ１０の「省電力モード」のフローに移行する。条件が満たされていない場合、或いは、Ｓ１０の「省電力モード」から復帰した場合は、Ｓ５に戻り、これまで説明した手順を繰り返す。
【００３２】
次に、Ｓ１０の「省電力モード」のフローの制御を行う、省電力制御部２４（図３）の構成と動作について、図２、図５、図６を参照して説明する。図５は、省電力制御部２４の回路図である。省電力制御部２４に含まれる部分は二点鎖線で囲んでいる。含まれない部分は、図２で示した発電用のモータＭと、動作パラメータや設定値を格納するＳＲＡＭやＲＴＣ（Ｒｅａｌ  Ｔｉｍｅ  Ｃｌｏｃｋ、内部時計）と、図２で示した開閉センサ６と、画像形成装置１用の主電源ＭＰＳと、外部からの商用電源ＡＣ１００Ｖの入力端子である。尚、ＣＰＵ１は、図３で示したＣＰＵ１と同じものである。図６は、省電力モードから動作モードへの復帰手順をフローチャートで表したものであるが、以下において、図５を主に参照しながら説明し、図６に示した対応するステップ番号は、括弧内に表記する。
【００３３】
画像形成装置１は、省電力モードに移行すると同時に、図示しない画像定着のための定着ヒータや、主電源ＭＰＳなどをオフにして、省電力化を図る（Ｓ２１）。その後、図２に示す原稿押圧板３が開閉されて、ラック軸５が上下動すると（Ｓ２２）、減速ギア１５とモータギア１６を介して、モータＭが正逆回転する。すると、モータＭから交流電圧が出力されて（Ｓ２３）、ダイオードＤ１〜Ｄ４からなる全波整流ブリッジで整流後、コンデンサＣ１、Ｃ２及びコイルＬ１で平滑されて直流電圧となる。尚、この時点では、画像形成装置１は省電力モードにあって、主電源ＭＰＳは動作していないものとする。その後、平滑された直流電圧は、抵抗Ｒ５、ダイオードＤ５、ツェナーダイオードＺＤで構成される定電圧回路に入力されて、定電圧となるとともにダイオードＤ７、電流制限抵抗Ｒ１０を介して、ＳＲＡＭとＲＴＣをバックアップする充電池Ｅ１を充電し始める。
【００３４】
同時に、電流制限抵抗Ｒ６を介して、フォトトライアックＴＲＣ１の発光素子が発光して、フォトトライアックＴＲＣ１をオンする（Ｓ２４）。すると、抵抗Ｒ９に電流が流れて、その両端に電圧が発生し、トライアックＴＲＣ２のゲート電流を供給することにより、トライアックＴＲＣ２がオンする（Ｓ２４）。トライアックＴＲＣ２は主電源ＭＰＳのスイッチの役割をするため、主電源ＭＰＳが起動する（Ｓ２５）。すると、省電力制御部２４の回路電圧５Ｖが供給され、ＳＲＡＭとＲＴＣのバックアップを主電源ＭＰＳから行うとともに、ＣＰＵ１に回路電圧５Ｖが供給されて、ＣＰＵ１が動作を開始する（Ｓ２６）。
【００３５】
すると、ＣＰＵ１のＰＯＲＴ２から信号が出力されて、抵抗Ｒ２とＲ１に電流が流れて、トランジスタＴＲ１をオンする。同時に、抵抗Ｒ４とＲ３に電流が流れて、その起電圧でトランジスタＴＲ２がオンする。その後は、トランジスタＴＲ２とダイオードＤ６を介して、フォトトライアックＴＲＣ１とトライアックＴＲＣ２の導通が維持される（Ｓ２７）。すなわち、主電源ＭＰＳの動作が維持される（Ｓ２８）。同様にして、充電池Ｅ１もトランジスタＴＲ２を介した回路によって充電される。尚、図５に一点鎖線で示す昇圧回路ＢＳＴは、モータＭによる発電電圧が、回路電圧より低い場合に使用するとよい。
【００３６】
その後、ＳＲＡＭから必要な動作パラメータや設置値が再度読み込まれ、定着ヒータがオンされ（Ｓ２９）、定着ヒータが動作温度になると、画像形成装置１の準備が再度整う（Ｓ３０）。以上の手順で、画像形成装置１は、主電源ＭＰＳがオフの状態から、すなわち、省電力モードから動作モードへ復帰し、図４のＳ５のステップへ移行する。その後、図４のＳ９の時点で、省電力モード移行への条件が再度検出されると、ＣＰＵ１は、ＰＯＲＴ２からの信号を停止する。すると、フォトトライアックＴＲＣ１とトライアックＴＲＣ２がオフして、主電源ＭＰＳがオフされ、省電力モードへ再度移行する。
【００３７】
次に、図４に示したＳ６の「発電／開閉制動」のフローの制御を行う、省電力制御部２４（図３）の構成と動作について、図２、図５、図７を参照して説明する。図７は、図４のステップＳ６の「発電／開閉制動」の手順をフローチャートで表したものであるが、以下においては、図５を主に参照しながら説明し、図７に示した対応するステップ番号は、括弧内に表記する。
【００３８】
図４のステップＳ５で、開閉センサ６のオンからオフへの切り替わりが検知されると、それは、原稿押圧板３が開かれつつあることを意味する。すなわち、図２に示す原稿押圧板３が、位置３＿２から３＿３への移行していることを意味する。その後は、位置３＿３から位置３＿２を経由して位置３＿１に戻される。このとき、位置３＿３から位置３＿１への方向は、ユーザが原稿押圧板３を保持しない限り、原稿押圧板３は自重に付勢されて、落下するように位置３＿１に戻る。図２のラック軸が上下動している間は、モータＭが発電し、少なくとも図５で示した充電池Ｅ１を充電しているため、原稿押圧板３の動きはモータＭの反発力によって抑止されるものの、位置３＿３から位置３＿１に戻る場合は、勢いが付きすぎて、原稿をずらしたり、原稿押圧板３自身や他の部品に損傷を与えたりする可能性もある。
【００３９】
そのため、図４のステップＳ５で、開閉センサ６のオンからオフへの切り替わりが検知されたあと、開閉センサ６のオフからオンの切り替わりが検知される場合は、原稿押圧板３に、更なる制動をかける処理を行う（Ｓ４１）。その他の場合は、ラックの上下動にともなって（Ｓ４２）、モータＭが発電して充電池Ｅ１を充電する（Ｓ４３）。図５に戻って説明すると、開閉センサ６がオフからオンへ切り替わると、これをモニタしているＣＰＵ１が切り替わりを検知して、ＰＯＲＴ１から制動信号を出力し、抵抗Ｒ１２とＲ１１を介してトランジスタＴＲ３をオンする。トランジスタＴＲ３がオンされると、モータＭが発電する電流は制限抵抗Ｒ１０を介してグランドに流れるため、制限抵抗Ｒ１０の値に応じてモータＭに出力負荷が与えられ、意図する制動力を得ることができる（Ｓ４４）。
【００４０】
ＣＰＵ１による所定の遅延時間Ａが経過すると（Ｓ４５）、ＣＰＵ１はＰＯＲＴ１からの制動信号をオフにして制動を解除する（Ｓ４６）。その後、所定の遅延時間Ｂが経過すると（Ｓ４７）、制動と制動解除の繰り返し回数の判定が行われ（Ｓ４８）、所定の回数に満たない場合は、ＣＰＵ１は再度、制動信号を出力する（Ｓ４４）。繰り返し回数が終了した場合は、この「発電／開閉制動」のフローを終了して、図４のステップＳ７に移行する。
【００４１】
以上のように、原稿押圧板３が位置３＿３から位置３＿１に移行するときには、自重による付勢力が強くなる位置３＿２以降、モータＭの出力負荷を制御して、細かいピッチで制動をかけることで、高価かつ調整が困難な機械式のダンパーを使用せずとも、原稿押圧板３を緩やかに位置３＿１に戻すことが可能になる。また、同時に、充電池Ｅ１の充電も行い、省電力化に貢献することが可能になる。
【００４２】
図１と図２で示した原稿押圧板３は、図示しない原稿自動送り装置と一体に形成されていないものである。そのため、比較的軽く、大きな制動力は必要としない。しかし、原稿自動送り装置と一体に形成されている場合、自重による付勢力はより大きくなるため、制動時間を長くしたり、制限抵抗Ｒ１０の値を変えて出力負荷を大きくしたりして制御を行うとよい。このように、原稿押圧板３の大きさと自重が変わっても、制動を行う時間や繰り返し時間、或いは出力負荷を変更すれば対応できるため、予め、いくつかのパターンを、前記したＳＲＡＭに動作パラメータとして登録しておき、工場での調整時に、或いは、ユーザが画像形成装置１の装置構成を変更するときに適切なパターンを選択できるようにすると、従来の技術のように機械式のダンパーを変更しなくとも対応が可能になる。また、コストの削減にもつながる。
【００４３】
以上、発明の実施形態を、具体的な回路に基づいて説明したが、本発明はこの回路に限定されないことは言うまでもない。また、画像形成装置１の例として複写機能を有する装置を取り上げて説明したが、プリンタ機能、ファックス機能、ネットワーク機能、更にはＥメール機能などを有した、所謂複合機であっても、実施可能であることは明らかである。
【００４４】
以上説明したように、本発明は、画像形成装置の省電力化、省電力モードからの復帰が、ユーザの余分な操作なしに行える、更には、原稿押圧板の制動が機械式ダンパーを使用せずとも行えるなどの多くの優れた特徴を備えている。
【図面の簡単な説明】
【００４５】
【図１】本発明の実施形態を説明するための画像形成装置の主要部を示す正面斜視図である。
【図２】画像形成装置１の本発明に係わる機構部分を模式的に拡大して示した右断面図である
【図３】画像形成装置１の制御に係わる主要部のブロック図である。
【図４】画像形成装置１の電源が投入されてから、動作モードへの移行、省電力モードへの移行、動作モードへの復帰の流れを説明するためのフローチャートである。
【図５】省電力制御部２４の回路図である。
【図６】省電力モードから動作モードへの復帰手順のフローチャートである。
【図７】図４のステップＳ６の「発電／開閉制動」の手順のフローチャートである。
【符号の説明】
【００４６】
１    画像形成装置
２    原稿載置台
２ａ  コンタクトガラス
３    原稿押圧板
３＿１、３＿２、３＿３  位置
４ａ、４ｂ  支持軸
５    ラック軸
６    開閉センサ
７    操作部
７ａ  表示部
７ｂ  操作入力部
８    給紙ユニット
１０  ラックユニット
１１  シリンダ
１２  スプリング
１５  減速ギア
１６  モータギア
２０  主制御部
２１  スキャナ
２２  画像メモリ
２３  画像形成部
２４  省電力制御部
ＢＳＴ  昇圧回路
Ｃ１、Ｃ２  コンデンサ
Ｄ１〜Ｄ７  ダイオード
Ｅ１  充電池
Ｌ１  コイル
Ｍ    モータ
ＭＰＳ  主電源
Ｒ２〜Ｒ６、Ｒ９〜Ｒ１２  抵抗
ＴＲ１、ＴＲ２、ＴＲ３  トランジスタ
ＴＲＣ１  フォトトライアック
ＴＲＣ２  トライアック
ＺＤ  ツェナーダイオード
【図１】
2005134695.tif 000003
【図２】
2005134695.tif 000004
【図３】
2005134695.tif 000005
【図４】
2005134695.tif 000006
【図５】
2005134695.tif 000007
【図６】
2005134695.tif 000008
【図７】
2005134695.tif 000009